(57)【特許請求の範囲】
【請求項１】
薬剤タンク１とブロワーケース２との間にシャッター収納部２５を形成し、該シャッター収納部２５に複合シャッター装置４６を設け、
該複合シャッター装置４６の上面を被覆するシャッター上板１５は円形に構成され、略中央にあたる直径部分が最も低くなるように傾斜され、該直径部分を境にし、一方に小開口部シャッター上板１５ａを、他方に大開口部シャッター上板１５ｂを有するダンパーシャッター部４８を配置し、
該小開口部を一部に有する小開口部シャッター上板１５ａと、その下面に当接させたロータリーシャッター４９の回動によって、小散布量を調節するロータリーシャッター部４７を構成し、
該大開口部を一部に有する大開口部シャッター上板１５ｂと、その下面に軸支されたダンパーシャッター５２の開度によって、大散布量を調節するダンパーシャッター部４８を構成し、
該小開口部シャッター上板１５ａの下半分は、ロータリーシャッター回動軸５１を中心軸とした円柱の側面形状を呈する曲面部１５ｅからなり、該曲面部１５ｅの最も低い位置から上方に向かって長方形の小開口部５７を開口し、
大開口部シャッター上板１５ｂは、最も低い部分から上方に向かって幅広の長方形の大開口部５８を開口したことを特徴とする散布機。
【発明の詳細な説明】
【０００１】
【発明の属する技術分野】
本発明は、少量散布時の散布量の設定精度を向上させた、背負式動力散布機における複合シャッター装置に関する。
【０００２】
【従来の技術】
従来から、背負式動力散布機には薬剤タンクからブロワーケース内へ落下させる薬剤の量を調節するために、薬剤タンクとブロワーケースの間には、円板状のスライドシャッターが配設され、該スライドシャッターは調量レバーと連動連結されて、該調量レバーの回動によってスライドシャッターも回動して開度が変更され、該スライドシャッターの開口部による開口重複部の面積が変更されるようにしていた。
【０００３】
また、機構を簡単にして部品点数を減らすことでコストダウンを図るため、曲面開口部の下に円筒側面を当接させた半円筒を水平軸に軸支して回動させ、ブロワーケース内への薬剤落下量を調節するロータリーシャッターも採用されていた。
更に、近年になると、多量散布にも対応できるように、スライドシャッターの代わりに、平板開口部の下に設けた板を水平軸に軸支して上下に回動させるダンパーシャッターが採用されるようになってきた。
【０００４】
【発明が解決しようとする課題】
しかしながら、スライドシャッターの場合は、少量散布から多量散布まで対応するために、前記開口重複部を小面積、かつ多数として、調量レバーのわずかな回動で総散布量が容易に変化できるようにしていた。
このため、散布量が少ない際には、開口重複部１個当たりの隙間を狭くする必要があり、肥料・大粒の薬剤では、その隙間に引っかかって落下しなくなる恐れがあった。
【０００５】
また、微粉の薬剤等では、薬剤等が新しい場合には流動性が良好なため、開口重複部が狭くても滑らかに落下するが、保存状態が悪い場合や作業が長い場合には、湿気や不純物によって開口落下部の縁への微粉の固着が進みやすく、目詰まりを起こして落下しなくなるという問題があった。
【０００６】
一方、ロータリーシャッターの場合には、多量散布のため開口部を大きくすると、長時間散布時にはシャッターとその上板との間の摩擦が部材の劣化や薬剤等の詰まり等により過大となり、シャッターが回動しにくくなる、という問題があった。
また、ダンパーシャッターの場合には、多量散布が容易な反面、少量散布時には側方からこぼれた薬剤のために、散布量調節の精度が悪く微妙な調節が困難なため、薬剤の種類によっては効きすぎたり、弱すぎたりして、所望の薬効が得られないことがある、という問題があった。
【０００７】
本発明は、前記の点に鑑み、各散布量に適したタイプのシャッターを複数適正配置することにより、少量散布から多量散布まで高精度の散布が可能な散布機を提供することを目的とする。
【０００８】
【課題を解決するための手段】
本発明の解決しようとする課題は以上の如くであり、次に該課題を解決するための手段を説明する。
薬剤タンク１とブロワーケース２との間にシャッター収納部２５を形成し、該シャッター収納部２５に複合シャッター装置４６を設け、該複合シャッター装置４６の上面を被覆するシャッター上板１５は円形に構成され、略中央にあたる直径部分が最も低くなるように傾斜され、該直径部分を境にし、一方に小開口部シャッター上板１５ａを、他方に大開口部シャッター上板１５ｂを有するダンパーシャッター部４８を配置し、該小開口部を一部に有する小開口部シャッター上板１５ａと、その下面に当接させたロータリーシャッター４９の回動によって、小散布量を調節するロータリーシャッター部４７を構成し、該大開口部を一部に有する大開口部シャッター上板１５ｂと、その下面に軸支されたダンパーシャッター５２の開度によって、大散布量を調節するダンパーシャッター部４８を構成し、該小開口部シャッター上板１５ａの下半分は、ロータリーシャッター回動軸５１を中心軸とした円柱の側面形状を呈する曲面部１５ｅからなり、該曲面部１５ｅの最も低い位置から上方に向かって長方形の小開口部５７を開口し、大開口部シャッター上板１５ｂは、最も低い部分から上方に向かって幅広の長方形の大開口部５８を開口したものである。
【０００９】
【発明の実施の形態】
次に本発明の実施の形態を説明する。
図１は背負式動力散布機の正面図、
図２は同じく側面一部断面図、
図３はシャッター部分の側面断面図、
図４は本発明の複合シャッター装置の側面断面図、
図５は同じく上面からの斜視図、
図６は同じく下面からの平面図、
図７は各シャッターの回動軸の一軸駆動装置の平面図、
図８は各シャッターの回動軸の二軸駆動装置の平面図、
図９はシャッター開度表示装置の全体斜視図である。
【００１０】
まず、本発明に係わる散布機の全体構成を図１、図２、図３により説明する。
上部には薬剤タンク１が、その下部にはブロワーケース２を配置し、これら薬剤タンク１及びブロワーケース２は、樹脂をブロー成形することによって一体的に構成されている。ブロワーケース２の前面にはエンジン２６が、また該ブロワーケース２内には送風ファンが配置され、エンジン２６の出力軸上に送風ファンが固設されている。この薬剤タンク１やブロワーケース２やエンジン２６等は、側面視Ｌ形状に形成した背負枠３上に載置されている。７は燃料タンク、８はエアクリーナーである。
なお、燃料タンク７は、エンジン２６よりも下方に位置させてある為に、燃料を上方のエンジン２６まで強制的に送り出すために、燃料タンク７上部にパルスポンプ９を設けている。
【００１１】
そして、前記ブロワーケース２と薬剤タンク１の間にはシャッター収納部２５が形成されており、薬剤タンク１の下部も兼ねた収納ケース１０内には、ロータリーシャッター部４７とダンパーシャッター部４８等を収納し、ブロワーケース２の一端（図１右側）に設けた噴出口には噴管５の一端が連結されている。
また、ブロワーケース２側部にはレバーガイド４を設けて、アクセルレバー及び薬剤の調量レバー３３が後方へ突出されて、レバーガイド４により回動がガイドされるようにしている。
【００１２】
従って、圃場内では、背負式動力散布機を背負いつつ、エンジン２６の駆動によりブロワーケース２内の送風ファンを駆動させ、該送風の大小の調節をアクセルレバーで行い、これにより発生した送風力を用いて、調量レバー３３の操作により散布量を調整し、薬剤を薬剤タンク１内から噴管５を通じて散布することが出来るのである。
以上のような全体構成から成る散布機おけるシャッター収納部２５について、図３、図４により説明する。
【００１３】
薬剤タンク１とブロワーケース２の間の収納ケース１０内の内面部には、シャッター上板１５と一体となったシャッター枠１１と、その上に本発明のロータリーシャッター部４７とダンパーシャッター部４８を対向させた複合シャッター装置４６を形成し、両シャッター部の上面を構成するシャッター上板１５には安定具１７を固定して、締結金具１９の両側を収納ケース１０上部内面で図示せぬ部分に引っかけて、締結金具１９の円周上に螺装した締結ネジ２１を締め込むことによって、前記安定具１７を下方へ押し付けて、複合シャッター装置４６がガタつかないように固定している。
【００１４】
次に、本発明の複合シャッター装置４６について、図４乃至図６により説明する。
複合シャッター装置４６の上面を被覆するシャッター上板１５は、各シャッターの回動軸間の略中央にあたる直径部分が最も低くなるように傾斜されており、該直径部分を境にし、一方に小開口部シャッター上板１５ａを有するロータリーシャッター部４７、他方に大開口部シャッター上板１５ｂを有するダンパーシャッター部４８が配置されている。
【００１５】
該小開口部シャッター上板１５ａの下半分は、ロータリーシャッター回動軸５１を中心軸とした円柱の側面形状を呈する曲面部１５ｅからなり、該曲面部１５ｅの最も低い位置から上方に向かって長方形の小開口部５７が開口されている。該小開口部５７周囲からはガイド枠１５ｃが垂下され、該ガイド枠１５ｃの両側板によりロータリーシャッター回動軸５１が軸支されている。
該ロータリーシャッター回動軸５１上には両側にガイド側板５０を設けたバネ支持板６０が固定され、該バネ支持板６０上には他端にロータリーシャッター４９を付けたバネ５９が固定支持されており、小開口部５７に当接したロータリーシャッター４９を常に付勢した状態で回動させることができ、小開口部シャッター上板１５ａとロータリーシャッター４９との間には、隙間が生じない構成としている。
【００１６】
すなわち、ロータリーシャッター部４７で少量散布する場合、小開口部５７の隙間から薬剤がこぼれ落ちることがないため、精度良く散布量の制御をすることができるのである。
また、ダンパーシャッター部４８では、大開口部シャッター上板１５ｂの最も低い部分から上方に向かって幅広の長方形の大開口部５８が開口されている。該大開口部５８周囲からはガイド枠１５ｄが垂下され、該ガイド枠１５ｄの両側板にはダンパーシャッター回動軸５３が軸支されている。
【００１７】
該ダンパーシャッター回動軸５３にはダンパーシャッター５２が上下に回動可能に軸支され、大開口部５８を開閉して、薬剤タンク１から落下する薬剤の量を調整できる構成としている。
従って、通常以上の量の薬剤を扱う場合には、該ダンパーシャッター部４８を使用し、少量散布時には、ロータリーシャッター部４７を使用するといった具合に、扱う量に応じた適切なシャッター構造を適用することができるのである。
【００１８】
次に、ロータリーシャッターとダンパーシャッターの回動軸の駆動方法について、図７、図８、図９により説明する。
図７は一軸で両回動軸を駆動する一軸駆動の場合である。
前記ロータリーシャッター回動軸５１上には止めネジ６２でロータリーシャッター用歯車６７が固定され、該ロータリーシャッター用歯車６７と軸方向位置で重複しない位置にダンパーシャッター用歯車６８が配置され、該ダンパーシャッター用歯車６８もダンパーシャッター回動軸５３上に止めネジ６３で固定されている。
【００１９】
前記ロータリーシャッター回動軸５１とダンパーシャッター回動軸５３の間の収納ケース１０には、シャッター駆動軸６４が固定され、該シャッター駆動軸６４にはシャッター切り換え用歯車２０が遊嵌されている。該シャッター切り換え用歯車２０は、半径の異なる二種類の歯車から成るものであり、その軸受け部内面には、バネ６６で軸心方向に付勢されたスライド用ボール６５が設けられ、また、シャッター駆動軸６４の外周上には、該スライド用ボール６５を係止するための二本のボール溝６４ａ、６４ｂが設けられている。
【００２０】
このような構成において、シャッター切り換え用歯車２０を機体内方に押し込み、機体内側のボール溝６４ａにスライド用ボール６５を係止させると、該シャッター切り換え用歯車２０のうちの長い半径の歯車２０ｄがロータリーシャッター用歯車６７に噛合し、逆に、シャッター切り換え用歯車２０を機体外方に引き出すと、機体外側のボール溝６４ｂにスライド用ボール６５を係止され、該シャッター切り換え用歯車２０のうちの短い半径の歯車２０ｅがダンパーシャッター用歯車６８と噛合する。
【００２１】
すなわち、シャッター切り換え用歯車２０をシャッター駆動軸６４上で機体前後方向にスライドさせることにより、回動可能なシャッター回動軸を変更し、開閉するシャッター部をロータリーシャッター部４７かダンパーシャッター部４８かに切り換えることができるのである。
更に、シャッター切り換え用歯車２０には揺動リンク２０ａが一体的に固設され、該揺動リンク２０ａは図１に示す連結リンク２２と枢結され、該連結リンク２２の他端は前記調量レバー３３と連結されており、該調量レバー３３を回動することによって、連結リンク２２、シャッター駆動軸６４を介して各シャッター軸を回動できるようにしている。
【００２２】
なお、連結リンク２２の上端と揺動リンク２０ａとの連結位置を変更することにより、調量レバー３３が同じ回動量であっても、各シャッターの回動角度が異なるようにすることができる。
例えば、ダンパーシャッター部４８を使用する場合、連結位置を連結孔２０ｃとすることで、シャッターの回動角度の変化が大きくでき、多量散布に適したものとなり、また、連結位置を連結孔２０ｂとすることで、逆に、シャッターの回動角度の変化を小さくして、通常量の散布に適したものとなるのである。
【００２３】
図８、図９は、ロータリーシャッター回動軸５１とダンパーシャッター回動軸５３の駆動をそれぞれの軸で行う二軸駆動の場合である。
図８（ａ）では、ロータリーシャッター回動軸５１上にはロータリーシャッター揺動リンク７０が固定され、該ロータリーシャッター揺動リンク７０には連結孔７０ａが穿孔されている。また、ダンパーシャッター回動軸５３上には、干渉を避けるためにロータリーシャッター揺動リンク７０と同じ側に固定されたダンパーシャッター揺動リンク７１を設け、、該ダンパーシャッター揺動リンク７１には連結孔７１ａ、７１ｂが穿孔されている。
【００２４】
この場合、使用するシャッター部の切り換え、すなわちロータリーシャッター部４７とダンパーシャッター部４８との切り換えは、前記連結リンク２２と連結する揺動リンク７０、７１を変更することによって行うことができる。
揺動リンクを更に操作しやすくしたのが図８（ｂ）である。ロータリーシャッター回動側は図８（ａ）と同じであるが、ダンパーシャッター回動側は異なる。  すなわち、ロータリーシャッター回動軸５１とダンパーシャッター回動軸５３の間の収納ケース１０には回動軸７２が枢支され、該回動軸７２からはロータリーシャッター揺動リンク７０と同じ側にダンパーシャッター揺動リンク７５が延設されている。
さらに、該回動軸７２には中間リンク７３の一端が固定され、該中間リンク７３の他端は、回動自在な中間リンク７４を介した後、ダンパーシャッター回動軸５３から延出されたダンパー開度用針７７などのリンクと連結されている。
【００２５】
この場合の揺動リンクの回動軸間の距離（５１と７２間）は、図８（ａ）の揺動リンクの回動軸間の距離（５１と５３間）の略半分であるため、揺動リンクの回動に必要な力が小さくて済む。
いずれの二軸駆動の場合も、シャッター切り換え用歯車２０をスライドさせる一軸駆動の場合と同様に、連結する揺動リンク７０、７１の変更という一操作で、使用するシャッター部を変更することができるのである。
【００２６】
なお、二軸駆動の場合には、一軸駆動のように、操作ミスや部品寸法のばらつきなどによる軸間での干渉、例えば少量散布でロータリーシャッター部４７使用中にダンパーシャッター５２が誤操作で開口する、といった恐れが全くなく、散布量設定に対する信頼性の面からはより好ましい駆動法といえる。
このような構成において、調量レバー３３を回動すると、連結リンク２２を介して、一軸駆動では揺動リンク２０ａが、二軸駆動では揺動リンク７０又は７１が回動され、ロータリーシャッター部４７又はダンパーシャッター部４８のいずれかを開閉することができる。
【００２７】
従って、小開口部５７を有するロータリーシャッター部４７を使う場合には、少量の薬剤の落下が開口面積に応じて精度良く調節することができるため、高精度の少量散布が可能となり、大開口部５８を有するダンパーシャッター部４８を使う場合には、通常量以上の薬剤の落下が詰まることなく効率よく行えるため、多量散布にも追従することができるのである。
最後に、シャッター開度表示装置について、図９により説明する。
前記図８（ｂ）に示す二軸駆動において、薬剤タンク１の外側表面にはロータリー開度目盛り７８を設け、該ロータリー開度目盛り７８上には、ロータリーシャッター回動軸５１端部から延出させたロータリー開度針７６を配置する。
【００２８】
同様に、薬剤タンク１の外側表面にはダンパー開度目盛り７９を設け、該ダンパー開度目盛り７９上には、ダンパーシャッター回動軸５３端部から延出させたダンパー開度針７７を配置する。
これにより、シャッター開度を連続的に確認することができるため、従来のような、調量レバー３３のみによる数段階の大まかな開度調節に比べて、より細かな散布量の調節が可能となったのである。
【００２９】
【発明の効果】
本発明は、次のような効果を奏するのである。
薬剤タンク１とブロワーケース２との間にシャッター収納部２５を形成し、該シャッター収納部２５に複合シャッター装置４６を設け、該複合シャッター装置４６は、小開口部を一部に有する小開口部シャッター上板１５ａと、その下面に当接させたロータリーシャッター４９の回動によって散布量を調節するロータリーシャッター部４７と、大開口部を一部に有する大開口部シャッター上板１５ｂと、その下面に軸支されたダンパーシャッター５２の開度によって散布量を調節するダンパーシャッター部４８とから構成したので、散布量にかかわらず高精度かつ迅速な薬剤散布を実施することができる。
また、前記複合シャッター装置が、散布量を調節するロータリーシャッター部と、ダンパーシャッター部とから構成されたので、設定精度の高いロータリーシャッター部と開度の大きなダンパーシャッター部の特徴を生かした散布が可能となる。
【００２９】
該複合シャッター装置４６の上面を被覆するシャッター上板１５は円形に構成され、略中央にあたる直径部分が最も低くなるように傾斜され、該直径部分を境にし、一方に小開口部シャッター上板１５ａを、他方に大開口部シャッター上板１５ｂを有するダンパーシャッター部４８を配置し、該小開口部シャッター上板１５ａの下半分は、ロータリーシャッター回動軸５１を中心軸とした円柱の側面形状を呈する曲面部１５ｅからなり、該曲面部１５ｅの最も低い位置から上方に向かって長方形の小開口部５７を開口し、大開口部シャッター上板１５ｂは、最も低い部分から上方に向かって幅広の長方形の大開口部５８を開口したので、少量散布時には、横漏れや目詰まりの少ないロータリーシャッター部を使用することで、設定散布量に対するばらつきの小さい精度良い散布を行うことができ、多量散布時には、十分に大きな開度が得られるダンパーシャッター部に切り換えることで、設定散布量への散布量の変更を迅速に行うことができる。
【図面の簡単な説明】
【図１】  背負式動力散布機の正面図である。
【図２】  側面一部断面図である。
【図３】  シャッター部分の側面断面図である。
【図４】  本発明の複合シャッター装置の側面断面図である。
【図５】  同じく上面からの斜視図である。
【図６】  同じく下面からの平面図である。
【図７】  各シャッターの回動軸の一軸駆動装置の平面図である。
【図８】  各シャッターの回動軸の二軸駆動装置の平面図である。
【図９】  シャッター開度表示装置の全体斜視図である。
【符号の説明】
１  薬剤タンク
２  ブロワーケース
１５  シャッター上板
１５ａ  小開口部シャッター上板
１５ｂ  大開口部シャッター上板
２５  シャッター収納部
４６  複合シャッター装置
４７  ロータリーシャッター部
４８  ダンパーシャッター部
４９  ロータリーシャッター
５１  ロータリーシャッター回動軸
５２  ダンパーシャッター
５３  ダンパーシャッター回動軸
５４  一軸駆動部
５５  二軸駆動部
５６  シャッター開度表示装置
５７  小開口部
５８  大開口部
【図１】
0003665297.tif 000002
【図２】
0003665297.tif 000003
【図３】
0003665297.tif 000004
【図４】
0003665297.tif 000005
【図５】
0003665297.tif 000006
【図６】
0003665297.tif 000007
【図７】
0003665297.tif 000008
【図８】
0003665297.tif 000009
【図９】
0003665297.tif 000010